(57)【要約】【課題】タックを用いた引き返し編成を行うことなく、順次編幅が減るように前後の編地部を編成しつつ、両編地部を伏せ目処理により接合することができる編地の編成方法を提供する。【解決手段】横編機を用いて、前後の針床で順次編幅が減るように前側編地部と後側編地部を編成しつつ、両編地部を伏せ目処理にて接合する。その際、Ｓ０において、前身頃（前側編地部）２Ｆの編成に使用した給糸口８と、後身頃（後側編地部）２Ｂの編成に使用した給糸口９を用いて、これら給糸口８，９が伏せ目処理する側とその反対側とに分かれて配置されるように前身頃２Ｆおよび後身頃２Ｂを１コース分編成する（Ｓ３，Ｓ５）。次いで、伏せ目処理する側にある給糸口８を用いて、前身頃２Ｆの編目と後身頃２Ｂの編目を交互に伏せ目処理により接合する（Ｓ６〜Ｓ８）。【選択図】図１
2011117102.tif 000002
【特許請求の範囲】
【請求項１】
少なくとも前後一対の針床を有し、当該針床の編針に係止される編目を別の編針に目移しが可能な横編機を用いて、前後の針床で順次編幅が減るように前側編地部と後側編地部を編成しつつ、両編地部を伏せ目処理にて接合する編地の編成方法であって、
この編地の編成方法を実施する前に、前側編地部の編成に使用した給糸口と、後側編地部の編成に使用した給糸口のいずれか一方あるいは両方を用いて、上記２つの給糸口が伏せ目処理する側とその反対側とに分かれて配置されるように前側編地部および後側編地部を１コース分編成し、
次いで、伏せ目処理する側にある給糸口を用いて、前側編地部の編目と後側編地部の編目を交互に伏せ目処理することを特徴とする編地の編成方法。
【請求項２】
一方の給糸口を用いて前側編地部の編成と両編地部に対する伏せ目処理を行い、他方の給糸口を用いて後側編地部の編成と両編地部に対する伏せ目処理を行うことを特徴とする請求項１に記載の編地の編成方法。
【請求項３】
一方の給糸口を用いて前側編地部と後側編地部を１コース分往復編成し、他方の給糸口を用いて両編地部に対する伏せ目処理を行うことを特徴とする請求項１に記載の編地の編成方法。
【請求項４】
前側編地部と後側編地部を１コース編成する際、
この１コース編成の後に行われる伏せ目処理のために、この１コース編成の前に形成される重ね目を編成の対象としないことを特徴とする請求項１〜３のいずれか一項に記載の編地の編成方法。
【請求項５】
少なくとも前後一対の針床を有し、当該針床の編針に係止される編目を別の編針に目移しが可能な横編機を用いて編成された編地であり、
所定の編幅を有する所定幅部、およびこの所定幅部のウエール方向に連続し、ウエール方向に向かうに従い編幅が小さくなる小幅部を有する前側編地部と、
所定の編幅を有する所定幅部、およびこの所定幅部のウエール方向に連続し、ウエール方向に向かうに従い編幅が小さくなる小幅部を有する後側編地部と、
前記前側編地部の小幅部と後側編地部の小幅部の編目同士を伏せ目により接合することで形成される傾斜ライン部と、を備える編地であって、
各編地部の小幅部は、１コースごとに伏せ目されており、
その伏せ目が、前側編地部の所定幅部および後側編地部の所定幅部の少なくとも一方を編成した編糸と同じ編糸で編成されていることを特徴とする編地。
【請求項６】
前記傾斜ライン部側において、各編地部の小幅部における編成コースの端部の編目は、伏せ目に繋がった後、前記編成コースのウエール方向に続く編成コースの端部の編目に繋がっていることを特徴とする請求項５に記載の編地。
【請求項７】
前記傾斜ライン部側において、前側編地部の小幅部における編成コースの端部の編目は、ウエール方向でその編成コースに対応する位置にある後側編地部の小幅部における編成コースの端部の編目に繋がっていることを特徴とする請求項５に記載の編地。
【発明の詳細な説明】
【技術分野】
【０００１】
本発明は、横編機を用いて、前後の針床で順次編幅が減るように前側編地部と後側編地部を編成しつつ、両編地部を伏せ目処理にて接合する編地の編成方法、およびその編成方法により得られた編地に関する。
【背景技術】
【０００２】
従来から、前後の針床でそれぞれ前後の編地部を編成する際に、伏せ目処理により前後の編地部を綴じ合わせることが行われている。伏せ目処理とは、編地の最終コースにおいて近接する編目同士を重ね合わせて、これら重ね合わせた二重の編目（重ね目）に続いて新たに編目を形成する編成を、編地の編幅方向の一端側から他端側に向かって繰り返す処理である。
【０００３】
例えば、特許文献１では、図３に示すような身頃２と袖３を有するセーター１の袖ぐり部４の上端（図中の一点鎖線の位置）から上の部分において、前身頃２Ｆと後身頃２Ｂを編成しつつ、伏せ目処理により前身頃２Ｆと後身頃２Ｂとを接合することが開示されている。前身頃２Ｆと後身頃２Ｂの編幅は、一点鎖線から上のウエール方向に向かうに従って少なくなっており、袖ぐり部４側で前身頃２Ｆと後身頃２Ｂとが接合されることで形成される傾斜ライン部６が、人体の肩の形状に沿うようになっている。
【先行技術文献】
【特許文献】
【０００４】
【特許文献１】特開２００６−１６１２３１号公報
【発明の概要】
【発明が解決しようとする課題】
【０００５】
上述した特許文献１の編成方法では、以下に示す理由により傾斜ライン部に階段状の段差が形成されることがある。
【０００６】
特許文献１の編成方法では、前後の身頃の編幅を減らす際に袖ぐり部側でタックする引き返し編成を行っている（図４参照）。その場合、図４の一番下の編成コースに対して、袖ぐり部側（紙面右側）に向かって１コース編成し、一番下の編成コースの編目にタックを行った後、衿ぐり部側（紙面左側）に向かって１コース編成する。ここで、各身頃について袖ぐり部側を折り返し端とする往復で２コースの編成を行っているのは、伏せ目処理する側に身頃を編成する給糸口を残しておくと、伏せ目処理する際に種々の不具合が生じるため、当該給糸口を衿ぐり部側に逃がしておく必要があるからである。つまり、従来のタックを用いた引き返し編成で傾斜ライン部を形成する場合、常に２コース分の段差が形成されることになり、それが傾斜ライン部に階段状の段差を作る要因となる。
【０００７】
その他、特許文献１の編成方法では、傾斜ライン部側で折り返す引き返し編成を行っているため、前身頃２Ｆと後身頃２Ｂをそれぞれ編成するための２つの給糸口に加え、伏せ目処理を行うための第３の給糸口を使用する必要がある。
【０００８】
本発明は、上記事情に鑑みてなされたものであり、タックを用いた引き返し編成を行うことなく、順次編幅が減るように前後の編地部を編成しつつ、両編地部を伏せ目処理により接合することができる編地の編成方法、およびその編成方法を適用して編成された編地を提供することを目的とする。
【課題を解決するための手段】
【０００９】
本発明編地の編成方法は、少なくとも前後一対の針床を有し、当該針床の編針に係止される編目を別の編針に目移しが可能な横編機を用いて、前後の針床で順次編幅が減るように前側編地部と後側編地部を編成しつつ、両編地部を伏せ目処理にて接合する編地の編成方法に係る。そして、本発明編地の編成方法は、この編地の編成方法を実施する前に、前側編地部の編成に使用した給糸口と、後側編地部の編成に使用した給糸口のいずれか一方あるいは両方を用いて、上記２つの給糸口が伏せ目処理する側とその反対側とに分かれて配置されるように前側編地部および後側編地部を１コース分編成し、次いで、伏せ目処理する側にある給糸口を用いて、前側編地部の編目と後側編地部の編目を交互に伏せ目処理することを特徴とする。
【００１０】
上記本発明編地の編成方法における伏せ目処理は、公知の伏せ目処理を使用することができ、特に限定されない。例えば、同じ針床上の隣接する編目同士を重ね合わせ、その重ね目に続く新たな編目を形成する伏せ目処理を使用することもできるし、異なる針床上の近接する編目同士を重ね合わせ、その編目に続く新たな編目を形成する伏せ目処理を使用することもできる。
【００１１】
上記本発明編地の編成方法の一形態として、一方の給糸口を用いて前側編地部の編成と両編地部に対する伏せ目処理を行い、他方の給糸口を用いて後側編地部の編成と両編地部に対する伏せ目処理を行っても良い。この場合、例えば、前側編地部（後側編地部）を伏せ目処理する側に向かって編成するのであれば、後側編地部（前側編地部）を反対側に向かって編成した後、前側編地部（後側編地部）の編成に使用した給糸口を用いて前側編地部と後側編地部を接合する伏せ目処理を行う。
【００１２】
また、上記本発明編地の編成方法の一形態として、一方の給糸口を用いて前側編地部と後側編地部を１コース分往復編成し、他方の給糸口を用いて両編地部に対する伏せ目処理を行っても良い。この場合、往復編成の折り返しは、後に伏せ目処理を行う側で行う。
【００１３】
その他、上記本発明編地の編成方法の一形態として、前側編地部と後側編地部を１コース編成する際、この１コース編成の後に行われる伏せ目処理のために、この１コース編成の前に形成される重ね目を編成の対象としないことが好ましい。
【００１４】
一方、本発明編地の編成方法により編成された編地は、前側編地部と後側編地部と傾斜ライン部とを有する編地に係る。前側編地部と後側編地部はそれぞれ、所定の編幅を有する所定幅部、およびこの所定幅部のウエール方向に連続し、ウエール方向に向かうに従い編幅が小さくなる小幅部を有する。傾斜ライン部は、前側編地部と後側編地部における小幅部の編目同士を伏せ目により接合することで形成される。そして、本発明編地において、各編地部の小幅部は、１コースごとに伏せ目されており、その伏せ目が、前側編地部の所定幅部および後側編地部の所定幅部の少なくとも一方を編成した編糸と同じ編糸で編成されていることを特徴とする。
【００１５】
さらに、上記本発明編地には、その編成の過程で他方の給糸口を用いて後側編地部の編成と伏せ目処理を行った場合と、他方の給糸口を用いて伏せ目処理を行った場合とで、特徴的な構成が現れる。前者の場合、傾斜ライン部側において、各編地部の小幅部における編成コースの端部の編目が、伏せ目に繋がった後、前記編成コースのウエール方向に続く編成コースの端部の編目に繋がる。一方、後者の場合、傾斜ライン部側において、前側編地部の小幅部における編成コースの端部の編目は、ウエール方向でその編成コースに対応する位置にある後側編地部の小幅部における編成コースの端部の編目に繋がる。
【発明の効果】
【００１６】
本発明編地の編成方法によれば、前後の編地部を１コース編成するごとに、当該編成コースを伏せ目処理するので、前後の各編地部を編成するにあたりタックを用いた引き返し編成を行うことなく前後の編地部を編成しながら両編地部を接合できる。その際、前後の各編地部を連続して２コース分編成することがなく、両編地部を伏せ目処理により接合した部分が滑らかな傾斜ラインを形成するので、見栄えの良い編地を編成できる。加えて、本発明編地の編成方法では、本発明の編成方法を実施する前に前後の編地部を編成するために使用していた給糸口を伏せ目処理に利用しているので、従来のように伏せ目処理専用の給糸口を用いる必要がない。
【００１７】
また、本発明編地の編成方法において、前後の各編地部を１コース編成する際に、伏せ目処理のための重ね目を編成の対象としないことにより、各編地部を編成したことにより当該重ね目が編み下げられることを防止できる。当該重ね目が編み下げられると、その重ね目は出来上がる編地の傾斜ライン部からズレた箇所に配置されるので、編地の見栄えを損なう場合がある。これに対して、上記本発明の編成方法によれば、伏せ目処理のための重ね目は傾斜ライン部に並ぶので、編地の見栄えが損なわれることがない。
【図面の簡単な説明】
【００１８】
【図１】実施形態１に示す本発明編地の編成方法に係る編成工程図である。
【図２】実施形態２に示す本発明編地の編成方法に係る編成工程図である。
【図３】一般的なセーターの概略図である。
【図４】引き返し編成を行った場合の不具合を説明するためのループ図である。
【発明を実施するための形態】
【００１９】
以下、本発明の実施形態を図面に基づいて説明する。実施形態に記載の編成はいずれも、左右方向に延び、かつ前後方向に互いに対向する前後一対の針床と、針床の編針に係止される編目を目移しするためのトランスファージャックベッド（例えば、特許３０００４６１号参照）とを有する２枚ベッド横編機を用いた編成例を説明する。なお、トランスファージャックベッドを備えない２枚ベッド横編機であっても、目移し用の空針を設けることにより本実施形態の編成を実施できる。もちろん、使用する横編機は４枚ベッド横編機であっても良い。
【００２０】
本実施形態では、図３に示す一般的なセーター１の編成に本発明編地の編成方法を適用した例を説明する。まず、セーター１の身頃２と袖３，３との接合部分である袖ぐり部４の上端（図３中の一点鎖線）までセーター１を編成する。そして、図１に示す編成工程に従って、袖ぐり部４の上端から上の前身頃２Ｆと後身頃２Ｂを編成しつつ、前身頃（前側編地部）２Ｆと後身頃（後側編地部）２Ｂとを伏せ目処理により接合する。その際、前後身頃２Ｆ，２Ｂの編幅を減らし、着用者の肩のラインに沿った、前後身頃２Ｆ，２Ｂの接合部である傾斜ライン部６を形成する。
【００２１】
図１は、図３に示すセーター１の左肩の部分（図３の紙面右側）における編成を示す編成工程図であって、紙面右側がセーター１の傾斜ライン部６側、紙面左側が衿ぐり部５側である。図１の左側に記載される「アルファベット＋数字」は編成工程の番号、ＦＢは前針床、ＢＢは後針床、▽は給糸口、アルファベットは針床の針の位置を示す。また、図１における○はニット編成を、Ｖ字はタック編成を、□で囲まれるＦ（Ｂ）は前身頃２Ｆ（後身頃２Ｂ）の編目に対して行われる伏せ目処理を示す。なお、説明した図の見方は、後述する図２でも同様である。
【００２２】
図１のＳ０には、給糸口８からの編糸でＦＢの針Ｅ〜Ｐに前身頃２Ｆの編目（所定幅部の編目）が形成され、給糸口９からの編糸でＢＢの針Ａ〜Ｐに後身頃２Ｂの編目（所定幅部の編目）が形成された状態が示されている。この状態は、図３のセーター１を図中の一点鎖線の位置まで編成した状態に相当する。
【００２３】
上記Ｓ０の状態から、前身頃２Ｆと後身頃２Ｂの所定幅部のウエール方向に続く小幅部（図３の一点鎖線から上の部分）を形成する。小幅部は、前身頃２Ｆと後身頃２Ｂのそれぞれで、所定幅部に比べて編幅が徐々に小さくなっていく部分のことである。
【００２４】
まず始めに、給糸口８を傾斜ライン部６側に移動させ、ＦＢの針Ｅ〜Ｏに編目を形成すると共に、給糸口９を衿ぐり部５側に移動させ、ＢＢの針Ｐ，Ｎ〜Ａに編目を形成する（Ｓ１）。
【００２５】
次に、給糸口８で編糸を給糸しつつ、ＦＢの針Ｐの編目（Ｓ０を参照）を伏せ目処理し、ＢＢの針Ｐの編目を伏せ目処理する（Ｓ２）。ＦＢ（ＢＢ）の針Ｐにおける伏せ目処理は、その針Ｐに係止される編目に続いて新たな編目を形成し、その新たな編目を衿ぐり部５側に隣接するＦＢ（ＢＢ）の針Ｏに目移しすることである。
【００２６】
さらに、給糸口９を傾斜ライン部６側に移動させ、ＢＢの針Ａ〜Ｎに編目を形成し（Ｓ３）、同じ給糸口９からの編糸でＢＢの針Ｏの編目を伏せ目処理する（Ｓ４）。Ｓ４の伏せ目処理は、特許文献１に示す従来の引き返し編成で行うタック編成に相当する処理であって、セーター１に孔が開くことを防止する処理である。このＳ４の伏せ目処理では、上述したＳ２でＢＢの針Ｏに形成された重ね目に続いて新たな編目を形成し、その新たな編目を、ＢＢの針Ｏよりも衿ぐり部５側のＦＢの針Ｎに目移しして、当該針Ｎに次の伏せ目処理のための重ね目を形成することを行う。
【００２７】
ここで、Ｓ４の伏せ目処理を行うにあたってＳ３で形成する後身頃２Ｂを、Ｓ２の伏せ目処理により重ね目が係止される位置（ＢＢの針Ｏの編目）の一目手前（ＢＢの針Ｎの位置）までで留めておくことで、当該重ね目が後身頃２Ｂにより編み下げられることがない。その結果、図３に示すセーター１において、当該重ね目が、前後の編地部２Ｆ，２Ｂの繋ぎ目である傾斜ライン部６からズレた位置に配置されることを防止できる。
【００２８】
なお、Ｓ３で編成する後身頃２ＢをＢＢの針Ｍの位置で留めておき、Ｓ４でＢＢの針Ｏの編目に行う伏せ目処理に続いて、ＦＢの針Ｏの編目を伏せ目処理した後、ＢＢの針Ｎの編目を伏せ目処理しても良い。
【００２９】
次に、給糸口８を衿ぐり部５側に移動させて、ＦＢの針Ｍ〜Ｅに前身頃２Ｆの編目を形成する（Ｓ５）。Ｓ５の編成が終了した時点で、前身頃２Ｆと後身頃２Ｂが１コースずつ編成されたので、次に、これらの編成コースを伏せ目処理により順次接合していく。このとき、伏せ目処理する傾斜ライン部６側には給糸口９のみが存在し、給糸口８は衿ぐり部５側に逃がしているので、給糸口９を動かして伏せ目処理をする。本実施形態では、前身頃２Ｆと後身頃２Ｂのそれぞれについて３目ずつ伏せ目処理を行う（Ｓ６〜Ｓ８）。ここで、Ｓ５において、前身頃２Ｆの編成を開始する位置をＦＢの針Ｍとしているのは、上述したＳ３で後身頃２Ｂを針Ｎの位置までしか編成しなかったのと同様に、伏せ目処理のための重ね目を編み下げないためである。
【００３０】
Ｓ８の編成後、衿ぐり部５側にある給糸口８を傾斜ライン部６側に移動させて前身頃２Ｆを編成する（Ｓ９）。そして、同じ給糸口８を用いてＦＢに係止される前身頃２Ｆのうち、傾斜ライン部６側の端部の編目（ＦＢの針Ｌの編目）を伏せ目処理した後、給糸口９を衿ぐり部５側に移動させて後身頃２Ｂを１コース分編成する。（Ｓ１０）。このＳ１０の編成が終了した時点で、再び、前身頃２Ｆと後身頃２Ｂが１コースずつ編成されたので、次は伏せ目処理を行う（Ｓ１１，Ｓ１２）。なお、Ｓ１２では、給糸口９を用いてＢＢに後身頃２Ｂを１コース編成することも行った。
【００３１】
ここで、Ｓ１２における給糸口８，９の位置関係や前後身頃２Ｆ，２Ｂの形成状態を見ると、Ｓ３とほぼ同じ状態となっている。そこで、Ｓ１２を含む以降の編成は、Ｓ３〜Ｓ１１に示した編成と同様の編成を繰り返せば良い。
【００３２】
以上説明した実施形態１の編成は、前身頃２Ｆと後身頃２Ｂを１コース編成するごとに（Ｓ３，Ｓ５）、各編成コースの傾斜ライン部６側端部の編目を順次伏せ目処理にてＦＢ，ＢＢの針から開放する編成である（Ｓ４，Ｓ６〜Ｓ８）。つまり、前後の身頃２Ｆ，２Ｂの編成コースを増やしていく過程で、特定の針に編糸が掛かり続けることがなく、編地の編み下げが阻害されないので、編成コースに対して傾斜の大きな傾斜ライン部６を形成することができる。加えて、この実施形態１の編成工程では、伏せ目処理する側でタックを行う引き返し編成を用いていないので、前身頃２Ｆと後身頃２Ｂが２コースずつ編成されることがないし、伏せ目処理専用の給糸口も必要ない。
【００３３】
また、この編成工程を経て得られたセーター１では、各身頃２Ｆ，２Ｂにおけるウエール方向に隣接する２つの編成コースが伏せ目を介して繋がっている。例えば、後身頃２Ｂを例にすれば、Ｓ３の後身頃２Ｂの編成コースは、Ｓ４，Ｓ６〜Ｓ８の伏せ目を介してＳ１０の後ろ身頃２Ｂの編成コースに繋がっている。このように、本発明編地の編成方法で編成されたセーター１では、各身頃２Ｆ，２Ｂが２コース連続して形成されていないため、傾斜ライン部６に２コース分の段差が形成されることがない。その結果、従来のセーターよりも滑らかな傾斜ライン部６を有するセーター１とすることができる。
【００３４】
その他、本発明編地の編成方法によれば、ダブリング（ｄｏｕｂｌｉｎｇ）を行う際に、ダブリングする編目を自由に選択することができる。このダブリングとは、リブ組織などの前後身頃を伏せ目処理で接合する際、各身頃のウエール方向端部に並ぶ編目の一部を重ね合わせて、当該端部に並ぶ編目の数を減らす処理のことである。ここで、従来のタックを用いた引き返し編成では、タックにより重ね目が形成されることになる。重ね目は目移しし難いため、タックにより形成される重ね目をダブリングする編目として選択し難い。これに対して、本発明編地の編成方法では、前後の身頃を編成するにあたりタックを用いないため、ダブリングする編目を自由に選択できる。
【００３５】
＜実施形態２＞
実施形態１では、前身頃２Ｆは一方の給糸口８で編成し、後身頃２Ｂは他方の給糸口９で編成するというように、各給糸口８，９で編成する身頃が決まっている編成方法を説明した。これに対して、実施形態２では、図２に基づいて、一方の給糸口９を専ら前後身頃２Ｆ，２Ｂの編成に使用し、他方の給糸口８を専ら伏せ目処理に使用する例を説明する。
【００３６】
まず、実施形態１と同様に、図３の一点鎖線の位置までセーター１を編成し、図２に示す編成を開始する。図２のＴ０〜Ｔ３では、図１のＳ０〜Ｓ３と全く同じ編成を行う。
【００３７】
次に、給糸口９を紙面右方向に移動させて後身頃２Ｂを編成し（Ｔ３）、続いて給糸口９を紙面左方向に移動させて前身頃２Ｆを編成する（Ｔ４）。これらＴ３，Ｔ４の編成により、後身頃２Ｂと前身頃２Ｆが１コースずつ編成される。
【００３８】
前後身頃２Ｆ，２Ｂを１コース編成したので、次は伏せ目処理を開始する。その際、傾斜ライン部６側には給糸口８しか残っていないので、給糸口８を動かして、前後身頃２Ｆ，２Ｂの傾斜ライン部６側端部を順次伏せ目処理にて接合する（Ｔ５〜Ｔ７）。Ｔ５で行う伏せ目処理は、Ｔ２で針Ｐに新たな編目を形成し、その新たな編目を針Ｏに目移しすることで形成した重ね目に続く新たな編目を形成し、その新たな編目を針Ｎに目移しする処理である。また、Ｔ６（Ｔ７）で行う伏せ目処理は、Ｔ５（Ｔ６）で針Ｎ（針Ｍ）に形成した重ね目に続く新たな編目を形成し、その新たな編目を針Ｍ（針Ｌ）に目移しする処理である。
【００３９】
次いで、給糸口９を往復移動させて前身頃２Ｆと後身頃２Ｂを１コースずつ編成し（Ｔ８）、その後、給糸口８を動かして、前後身頃２Ｆ，２Ｂの傾斜ライン部６側端部を順次伏せ目処理にて接合する（Ｔ９〜Ｔ１１）。
【００４０】
図２のＴ１２以降の編成は、上述したＴ３〜Ｔ１１と同様の編成を繰り返して前後身頃２Ｆ，２Ｂを編成しつつ伏せ目処理により前後身頃２Ｆ，２Ｂを接合すれば良い。
【００４１】
以上説明した実施形態２の編成工程によれば、実施形態１と同様に、伏せ目処理する側でタックを行う引き返し編成を用いることなく、前身頃２Ｆと後身頃２Ｂを編成しつつ（Ｔ３，Ｔ４）、両身頃２Ｆ，２Ｂを伏せ目処理により接合できる（Ｔ５〜Ｔ７）。
【００４２】
また、この実施形態２の編成工程を経て得られたセーター１では、傾斜ライン部６側で前身頃２Ｆと後身頃２Ｂの端部の編目同士が繋がっており（Ｔ３，Ｔ４）、それら端部の編目が伏せ目処理されている（Ｔ５〜Ｔ７）。つまり、このセーター１でも、各身頃２Ｆ，２Ｂが２コース連続して形成されていないため、傾斜ライン部６に２コース分の段差が形成されることがない。
【符号の説明】
【００４３】
Ａ〜Ｐ  編針
ＦＢ  前針床  ＢＢ  後針床
１  セーター（編地）
２身頃    ２Ｆ  前身頃（前側編地部）  ２Ｂ  後身頃（後側編地部）
３  袖
４  袖ぐり部
５  衿ぐり部
６  傾斜ライン部
８，９  給糸口
【図１】
2011117102.tif 000003
【図２】
2011117102.tif 000004
【図３】
2011117102.tif 000005
【図４】
2011117102.tif 000006